(57)【特許請求の範囲】
【請求項１】
透液性トップシートと、不透液性バックシートと、前記透液性トップシートと前記不透液性バックシートとの間に吸収体が挟持された吸収パッドであって、
着用者に着用される外装物品の内側に止着される矩形状の面ファスナーが、前記不透液性バックシートの該外装物品との対向面の長手方向両側部と股間部にそれぞれ設けられ、
前記不透液性バックシートの対向面の隆起部が、前記股間部の面ファスナーの幅方向の両側部に形成され、前記隆起部の長手方向長さが、前記股間部の面ファスナーの長手方向長さより長く、前記隆起部の高さが、前記股間部の面ファスナーの高さよりも高く形成され、  
幅方向の一側に形成された前記隆起部の基部よりも、前記隆起部の先端部を幅方向の中央側に偏移して形成し、
前記股間部に配置された面ファスナーの幅方向の外側部を、前記隆起部の先端部で覆っている
ことを特徴とする吸収パッド。
【請求項２】
前記隆起部が、透液性トップシートに形成されたエンボスに対応して隆起している請求項１記載の吸収パッド。
【請求項３】
前記隆起部の基部と先端部を結ぶ仮想線を、前記透液性トップシートの法線方向に対して１０〜７０度傾斜して形成している請求項１または請求項２記載の吸収パッド。
【請求項４】
前記股間部の面ファスナーの長辺が、吸収パッドの長手方向に沿って設けられている請求項１乃至３の何れか１項に記載の吸収パッド。
【請求項５】
前記股間部の面ファスナーが、吸収パッドの幅方向に一定の間隔で２個以上設けられている請求項４記載の吸収パッド。
【請求項６】
前記吸収体の股間部の幅方向長さが、前記股間部の腹側部及び背側部の幅方向長さより短い、略砂時計形状である請求項１記載の吸収パッド。
【発明の詳細な説明】
【技術分野】
【０００１】
本発明は、尿や経血等の排泄物を吸収するために使用される吸収パッドに関するものである。
【背景技術】
【０００２】
例えば成人向けの使い捨ておむつにおいては、交換頻度を考慮して、内面に尿吸収を目的とした吸収パッドを用いることが一般的になっている（特許文献１参照）。
このような吸収パッドは、不透液性バックシートと透液性トップシートとの間に吸収体が介在されるとともに、不透液性バックシートおよび透液性トップシートが吸収体の前端よりも前側及び後端よりも後側にそれぞれ延出され、これら延出部分により吸収体の存在しない前エンドフラップ部及び後エンドフラップ部がそれぞれ形成された構造を有している。
また、不透液性バックシートの裏面を、より肌触りに優れた不織布で被覆することも行われている。
さらに、このような構造を有する吸収パッドにおいては、装着時のズレを防止するため、不透液性バックシートの長手方向両端部に粘着剤や面ファスナー（メカニカルファスナー）が取り付けられており、これらの止着手段を介して使い捨ておむつの内面に止着される。
特に、面ファスナーは、フック状の突起を多数有しており、このフック状の突起が、使い捨ておむつの内面の繊維に絡まることにより止着できるものであり、止着及び剥離を繰り返しても止着能力が低下しないという利点を有する。
しかし、面ファスナーの剛性は高く面ファスナーの角部が肌に接触すると、着用者の肌を傷つけるおそれがあることから、面ファスナーの角部に面取り加工、Ｒ加工を施した吸収パッド（特許文献２参照）、面ファスナーの角部を被覆シートによって覆い隠した吸収パッドが提案されている（特許文献３参照）。
【特許文献１】特開２００５−２３２７４号公報
【特許文献２】特開２００７―１９０１７８号公報
【特許文献３】特開２００１−１４５６６１号公報
【発明の開示】
【発明が解決しようとする課題】
【０００３】
しかしながら、吸収パッドの長手方向両側部に面ファスナーを設けた吸収パッドにあっても、着用者の激しい動きにより、特に股間部の吸収体がよれて排尿時に尿がおむつ外部に漏れ出すおそれがあった。
また、面ファスナーの角部に面取り加工、Ｒ加工を施した吸収パッドであっても、特に股間部においては、着用者の肌が面ファスナーの角部以外の部分と接触することが多いことから着用者の肌を傷つけるおそれがあり、また、面取り加工等によって削除される面ファスナーは廃棄されることから資材ゴミの増加を発生させる一因であった。
さらに、被覆シートで面ファスナーの角部を覆った吸収パッドであっても、特に股間部にあっては、被覆シートがよれて面ファスナーの角部が露出し、着用者の肌が面ファスナーの露出部と接触し肌を傷つけるおそれがあり、また、被覆シートを別段に設ける必要があることから生産コストが高価であった。
そこで、本発明の主たる課題は、着用者の激しい動きによっても股間部の吸収体のズレ、よれを抑制し、且つ、股間部に設けられた面ファスナーが着用者の肌に接触することを防止することにある。
【課題を解決するための手段】
【０００４】
上記課題を解決した本発明は次記のとおりである。
＜請求項１記載の発明＞
透液性トップシートと、不透液性バックシートと、前記透液性トップシートと前記不透液性バックシートとの間に吸収体が挟持された吸収パッドであって、
着用者に着用される外装物品の内側に止着される矩形状の面ファスナーが、前記不透液性バックシートの該外装物品との対向面の長手方向両側部と股間部にそれぞれ設けられ、
前記不透液性バックシートの対向面の隆起部が、前記股間部の面ファスナーの幅方向の両側部に形成され、前記隆起部の長手方向長さが、前記股間部の面ファスナーの長手方向長さより長く、前記隆起部の高さが、前記股間部の面ファスナーの高さよりも高く形成され、  
幅方向の一側に形成された前記隆起部の基部よりも、前記隆起部の先端部を幅方向の中央側に偏移して形成し、
前記股間部に配置された面ファスナーの幅方向の外側部を、前記隆起部の先端部で覆っている
ことを特徴とする吸収パッド。
【０００５】
（作用効果）
請求項１記載の発明においては、着用者に着用される外装物品の内側に止着される矩形状の面ファスナーが、前記最外層シートの最外層表面の長手方向両側部と股間部にそれぞれ設けられていることから、着用者の激しい動きによる吸収パッドのズレ、特に股間部の吸収体のよれを抑制し、排尿を確実に吸収パッドで吸収し、排尿が外装物品の外部に漏れ出すことを防止する。
また、前記最外層シートの最外層表面の隆起部が、前記股間部の面ファスナーの幅方向の両側部に形成され、前記隆起部の長手方向長さが、前記股間部の面ファスナーの長手方向長さより長く、前記隆起部の高さが、前記股間部の面ファスナーの高さと同じか、または高く形成されていることから、着用者の大腿部の肌が面ファスナーに接触することがない。
仮に、着用者の大腿部の肌が面ファスナーに接触する場合においても面ファスナー高さに対し、高く形成された隆起部が緩衝材、クッションとして作用するため着用者の大腿部の肌を傷つけることを抑制する。
さらに、前記隆起部の先端部が、前記股間部の面ファスナーの幅方向の外側部を覆っていることから、着用者が長時間にわたり吸収パッドを着用した場合にあっても、着用者の大腿部の肌が面ファスナーの幅方向の両側部の角部及び段差部に接触することがない。
仮に、着用者の大腿部の肌が面ファスナーに接触する場合においても面ファスナーの幅方向の外側部を覆っている隆起部が緩衝材、クッションとして作用するため着用者の大腿部の肌を傷つけることを抑制する。
【０００６】
【０００７】
【０００８】
【０００９】
【００１０】
【００１１】
【００１２】
【００１３】
【００１４】
＜請求項２記載の発明＞
前記隆起部が、透液性トップシートに形成されたエンボスに対応して隆起している請求項１記載の吸収パッド。
【００１５】
（作用効果）
請求項２記載の発明においては、前記隆起部が、透液性トップシートに形成されたエンボスに対応して隆起していることから、着用者が長時間にわたり吸収パッドを着用した場合にあっても、隆起部の変形、へたり等の経時変化を抑制することができ、着用者の大腿部の肌が面ファスナーの幅方向の両側部の角部及び段差部に接触することがない。
また、別段の被覆シートを用いることなく着用者の大腿部の肌が面ファスナーに接触することを防止でき経済的にも優れる。
【００１６】
＜請求項３記載の発明＞
前記隆起部の基部と先端部を結ぶ仮想線を、前記透液性トップシートの法線方向に対して１０〜７０度傾斜して形成している請求項１または請求項２記載の吸収パッド。
【００１７】
（作用効果）
請求項３記載の発明においては、透液性トップシートに形成された中心方向に向かい垂直方向に対し１０度〜７０度傾斜しているエンボスに対応して隆起していることから、着用者が長時間にわたり吸収パッドを着用した場合にあっても、隆起部の変形、へたり等の経時変化を抑制することができ、着用者の大腿部の肌が、面ファスナーの周辺部の角部及び段差部に接触することがない。
また、別段の被覆シートを用いることなく着用者の大腿部の肌が面ファスナーに接触することを防止でき経済的にも優れる。
【００１８】
＜請求項４記載の発明＞
前記股間部の面ファスナーの長辺が、吸収パッドの長手方向に沿って設けられている請求項１乃至３の何れか１項に記載の吸収パッド。
【００１９】
（作用効果）
請求項４記載の発明においては、前記股間部の面ファスナーの長辺が、吸収パッドの長手方向に沿って設けられていることから、股間部において着用者の大腿部の肌と面ファスナーとを遠ざけることができ、着用者の大腿部の肌と面ファスナーとの接触を低減することができる。
【００２０】
＜請求項５記載の発明＞
前記股間部の面ファスナーが、吸収パッドの幅方向に一定の間隔で２個以上設けられている請求項４記載の吸収パッド。
【００２１】
（作用効果）
請求項５記載の発明においては、前記股間部の面ファスナーが、吸収パッドの幅方向に一定の間隔で２個以上設けられていることから、着用者の激しい動きによっても股間部の吸収体がよれを抑制し、排尿を確実に吸収パッドで吸収し、排尿が外装物品の外部に漏れ出すことを防止する。
【００２２】
＜請求項６記載の発明＞
前記吸収体の股間部の幅方向長さが、前記股間部の腹側部及び背側部の幅方向長さより短い、略砂時計形状である請求項１記載の吸収パッド。
【００２３】
（作用効果）
請求項６記載の発明においては、前記吸収体の股間部の幅方向長さが、前記股間部の腹側部及び背側部の幅方向長さより短い、略砂時計形状であることから、着用者のフィット感を向上させることができる。
【発明の効果】
【００２４】
以上、本発明によれば、着用者の激しい動きによっても、股間部の吸収体のズレ、よれを抑制し排尿が外装物品の外部に漏れ出すことを防止でき、面ファスナーと着用者の肌との接触による着用者の肌を傷つけることがない吸収パッドを提供する。
【発明を実施するための最良の形態】
【００２５】
本発明の吸収パッドについて説明する。図１は、本発明の吸収パッドがパンツ式使い捨ておむつに止着された斜視図であり、図２は同展開図である。
なお、以下においてはパンツ式使い捨ておむつを例として説明を行うが、本発明の吸収パッドは、テープ式使い捨ておむつ、生理用ナプキン、失禁パッド等の外装物品にも適用できるとおりであるが、本発明は生理用ナプキン等の他の吸収パッドにも適用できることは言うまでもない。
また、以下の説明において「股間部」とは使用時に身体の股間と対応させる部分を意味し、殆ど多くの製品では前後方向中央部及びその前後近傍の部分である。具体的には、成人向け製品の場合、製品の前後方向中央を基準として±１５０ｍｍの範囲である。また、「腹側部分」及び「前身頃」は股間部よりも前側の部分を意味し、「背側部分」及び「後身頃」は股間部よりも後側の部分を意味する。
【００２６】
（パンツ式使い捨ておむつ）
本発明の吸収パッドが止着されるパンツ式使い捨ておむつ１は、吸収性本体１０と、吸収性本体１０の外面側に一体的に設けられた外装シート２０とからなる。
吸収体本体１０は、展開状態において略矩形形状に形成され、吸収体本体１０は、透液性トップシート１１と、不透液性バックシート１２と、両シートの間に挟持された吸収体１３を有し、吸収体本体１０の幅方向両側部分には、必要に応じ着用者側に起立するバリヤーカフス１４が形成されている。
外装シート２０は、展開状態において略砂時計形状に形成され、外装シート２０は、着用者の腹側に当接する前身頃２１と、着用者の背側に当接する後見頃２２と、前身頃２１と後身頃２２を連結する股間部２３からなり、吸収体本体１０を内側とし股間部２２で折り畳み前身頃２１と後身頃２２とを幅方向の両側部２４でそれぞれ接合してパンツ形状に形成されている。
パンツ形状には、着用者の大腿部を緩挿する一対の脚部開孔部２５と、着用者のウエスト部を緩挿するウエスト開孔部２６が設けられており、パンツ式使い捨ておむつ１を着用者の体型にフィットさせ、着用者の激しい動きによるパンツ式使い捨ておむつ１のズレ、股間部２２のよれを防止するために弾性部材が適宜配設されている。
図１に示すパンツ式使い捨ておむつ１においては、ウエスト開口部２６の近傍にはウエスト部弾性部材２７を配設し、外装シート２０の前身頃２１、後身頃２２には上下方向に一定の間隔をおいて水平方向に沿って複数の腰回り弾性部材群２８を配設し、さらに、両側部２４の一方側部から股間部２３に延び、股間部２１を迂回して両側部２４の他方側部に到達するとともに、互いに交差することなく間隔をおいて配置された複数本の湾曲弾性部材群２９が配設し、パンツ式使い捨ておむつ１を着用者の体型にフィットさせ、着用者の激しい動きによるパンツ式使い捨ておむつ１のズレ、股間部２２のよれを防止している。
【００２７】
吸収体本体１０を形成する透液性トップシート１１としては、不織布、穴あきプラスチックシート等を使用することができる。
不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を使用することができ、透液性トップシー１１として使用する場合、不織布の繊維目付けを１０〜３０ｇ／ｍ2、厚みを０．０５〜３ｍｍにするのが吸収性の観点から好適である。
【００２８】
吸収体本体１０を形成する不透液性バックシート１２としては、ポリエチレンフィルム等の他、ムレ防止の点から遮水性を損なわずに透湿性を備えたシートを使用することができる。
遮水・透湿性シートとしては、ポリエチレンやポリプロピレン等のオレフィン樹脂中に無機充填材を溶融混練してシートを形成した後、一軸または二軸方向に延伸することにより得られる微多孔性シートを使用することができる。
バックシート１２の単位面積あたりの重量を１０〜４０ｇ／ｍ2、厚みを０．０１〜１．０ｍｍにするのが遮水性の観点から好適である。
【００２９】
吸収体本体１０を形成する吸収体１３としては、パルプ繊維の積繊体、セルロースアセテート等のフィラメントの集合体、あるいは不織布を基本とし、必要に応じて高吸収性ポリマーを混合、固着等してなるものを用いることができる。
パルプ目付けを８０〜５００ｇ／ｍ2、厚みを１〜５０ｍｍにするのが吸収性の観点から好適である。
また、高吸水性樹脂の目付けを０〜３００ｇ／ｍ2にするのが好適であるであるのが望ましい。高吸水性樹脂含有率が少な過ぎると、十分な吸収能を与えることができず、多過ぎるとパルプ繊維間の絡み合いが無くなり、ヨレや割れ等が発生し易くなる。
さらに、必要に応じて、吸収体１３をクレープ紙により包むことができ、吸収体１３の形状としては、矩形形状、略砂時計形状とすることができる。
【００３０】
吸収体本体１０を形成するバリヤーシート１４としては、プラスチックシートやメルトブローン不織布を使用することもできるが、肌への感触性の点で、不織布にシリコンなどにより撥水処理をしたものが好適に使用される。
【００３１】
外装シート２０としては、各種の不織布を用いることができ、不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
外装シート１２に用いる不織布の繊維目付けを１０〜３０ｇ／ｍ2、厚みを０．０１〜５ｍｍにするのが強度的な観点から好適である。
【００３２】
外装シート２０に配設されるウエスト部弾性部材２７、腰回り弾性部材群２８、湾曲弾性部材群２９としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３３】
（吸収パッド）
図３は、本発明の第１実施形態の吸収パッド２の正面一部断面展開図であり、図４は、本発明の第１実施形態の吸収パッド３の裏面展開図であり、図５は、図４のＡ−Ａ断面図である。
本発明の吸収パッド２は、展開状態において略矩形形状に形成され、吸収パッド２は、透液性トップシート５１と、不透液性バックシート５２と、両シートの間に挟持された吸収体５３を有し、吸収パッド２の幅方向両側部分には、必要に応じ着用者側に起立するバリヤーカフス５４が形成され、バリヤーカフス５４の起立部の遠位縁部には弾性部材５５が固着されている。
【００３４】
不透液性バックシート５２のパンツ式使い捨ておむつ１との対向面には、不透液性バックシート５２の腹側部分５６、背側部分５７には面ファスナー７０が設けられ、不透液性バックシート５２の股間部５８には面ファスナー７１が設けられている。
腹側部分５６及び背側部分５７に設けられた面ファスナー７０は、パンツ式使い捨ておむつ１の吸収体１３の長手方向端部に対向する位置に設けられていることから、着用者の激し動きにより吸収パッド２が、パンツ式使い捨ておむつ１の長手方向の前後、幅方向の左右にズレることを防止している。
【００３５】
透液性トップシート５１の着用者面には、透液性バックシート５２の股間部５８に設けられた面ファスナー７１の幅方向両側部にそれぞれ対向する位置にフィットエンボス５９が形成されている。
また、フィットエンボス５９により透液性バックシート５２及び吸収体５３を介し不透液性バックシート５２のパンツ式使い捨ておむつ１との対向面が隆起し、透液性バックシート５２の股間部５８に設けられた面ファスナー７１の幅方向両側部にそれぞれ隆起部６０が形成されている。  
【００３６】
透液性トップシート５１にフィットエンボス５９を形成する場合には、図６に示すように透液性トップシート５１の法線方向（垂直方向）に対し、中心方向に向かい法線方向（垂直方向）に対し０度〜８０度傾斜したフィットエンボス５９を設けることが好適であることから、４０度傾斜したフィットエンボス５９を設けている。
なお、法線方向に対し平行、すなわち、透液性トップシート５１に対し垂直に設けてもよいことは言うまでもない。
透液性トップシート５１の法線方向に対し、中心方向に向かい法線方向（垂直方向）に対し０度〜８０度傾斜したフィットエンボス５９を設けた場合、フィットエンボス５９により隆起する隆起部６０の先端部６１により、透液性バックシート５２の股間部５８に設けられた面ファスナー７１の幅方向両側部を被覆することができ、中心方向に向かい法線方向（垂直方向）に対し１０度〜７０度傾斜したフィットエンボス５９を設けるのがより好適である。
法線方向（垂直方向）に対し０度より小さい場合には、隆起部６０が面ファスナー７１の幅方向両側部を覆うことができないおそれがあり、垂直方向に対し８０度より大きい場合には、隆起部６０が面ファスナー７１の幅方向両側部を過度に覆い止着力が不足するおそれがある。
【００３７】
隆起部６０の高さは、フィットエンボス５９を形成する一対の加圧ローラー、平面プレート等の加工圧力等を調整することにより任意に形成できるが、隆起部６０の高さ（ＲＨ）が、股間部５８に設けられた面ファスナー７１の高さ（ＦＨ）対し１００％〜５００％であることが好適であることから、面ファスナー７１の高さ（ＦＨ）対し１８０％に形成している。
隆起部６０の高さ（ＲＨ）が、面ファスナー７１の高さ（ＦＨ）に対し１００％より小さい場合には、着用者の大腿部の肌が面ファスナー７１に接触するおそれがあり、隆起部６０の高さ（ＲＨ）が、面ファスナー７１の高さに対し５００％より大きい場合には、隆起部６０が着用者に違和感を感じさせるおそれがある。
【００３８】
透液性トップシート５１に形成するフィットエンボス５９の形態としては、図７に示す間欠的なフィットエンボス５９Ａ、図８に示す圧力勾配を有するフィットエンボス５９Ｂを選択することができる。なお、図８に示すフィットエンボス５９Ｂの黒色部分が高いエンボス圧力により形成されたフィットエンボス５９Ｂである。
さらに、透液性トップシート５１に形成するフィットエンボス５９の形状（パターン）としては、図９に示す円弧状のフィットエンボス５９Ｃ、図１０に示す波形状のフィットエンボス５９Ｄを選択することができる。フィットエンボス５９Ａ〜５９Ｄのいずれのフィットエンボスにおいても、透液性バックシート５２及び吸収体５３を介し不透液性バックシート５２のパンツ式使い捨ておむつ１との対向面が隆起し、隆起部６０を形成することができる。特に、図９に示す円弧状のフィットエンボス５９Ｃは、着用者の大腿部とのフィット性を向上する観点から好適である。
【００３９】
吸収パッド２を形成する透液性トップシート５１としては、不織布、穴あきプラスチックシート等を使用することができる。
不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を使用することができ、透液性トップシー５１として使用する場合、不織布の繊維目付けを１０〜３０ｇ／ｍ2、厚みを０．０５〜３ｍｍにするのが吸収性の観点から好適である。
【００４０】
吸収パッド２を形成する不透液性バックシート５２としては、ポリエチレンフィルム等の他、ムレ防止の点から遮水性を損なわずに透湿性を備えたシートを使用することができる。遮水・透湿性シートとしては、ポリエチレンやポリプロピレン等のオレフィン樹脂中に無機充填材を溶融混練してシートを形成した後、一軸または二軸方向に延伸することにより得られる微多孔性シートを使用することができる。
バックシート５２の単位面積あたりの重量を１０〜４０ｇ／ｍ2、厚みを０．０１〜１．０ｍｍにするのが遮水性の観点から好適である。
さらに、不透液性バックシート５２の外側に不織布シートを積層した最外装シートにすることもできる。なお、不透液性バックシート５２に替えて最外装シートを使用する場合にあっては、面ファスナー７０，７１は、最外装シートのパンツ式使い捨ておむつ１との対向面に設けることは言うまでもない。
【００４１】
吸収パッド２を形成する吸収体５３としては、パルプ繊維の積繊体、セルロースアセテート等のフィラメントの集合体、あるいは不織布を基本とし、必要に応じて高吸収性ポリマーを混合、固着等してなるものを使用することができ、必要に応じて、吸収体５３をクレープ紙により包むことができる。
パルプ目付けを１００〜６００ｇ／ｍ2、高吸水性樹脂の目付けを０〜４００ｇ／ｍ2にするのが好適であるであるのが望ましい。高吸水性樹脂含有率が少な過ぎると、十分な吸収能を与えることができず、多過ぎるとパルプ繊維間の絡み合いが無くなり、ヨレや割れ等が発生し易くなる。
吸収体５３の形状としては、矩形形状、略砂時計形状とすることができる。しかし、図１１に示すように、吸収体５３の股間部５８の幅方向両側部から一対のフィットカット６３を行い、吸収体５３の股間部５８の幅方向の幅を小さくすることにより着用者の大腿部とのフィット性を向上させる吸収体５３が好適である。
さらに、図１２に示すように、吸収体５３の股間部５８の幅方向両側部から一対のフィットカット６３を行い、吸収体５３の股間部５８の幅方向の幅を小さくすると共に、吸収体５３の腹側部分の腹側吸収部６４、吸収体５３の背側部分の背側吸収部を略円形形状にすることにより着用者の大腿部とのフィット性、着用者の背腹部、特にお尻とのフィット性を向上させる、いわゆるひょうたん形状に吸収体５３を形成するのがより好適である。
また、透液性トップシート５１との対向面側の吸収体５３の股間部５８の厚みを厚くした、いわゆる中高部を設けもよい。
【００４２】
吸収パッド２を形成するバリヤーカフス５４としては、プラスチックシートやメルトブローン不織布を使用することもできるが、肌への感触性の点で、不織布にシリコンなどにより撥水処理をしたものが好適に使用される。
また、バリヤーカフス５４の起立部の遠位縁部には固着される弾性部材５５としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等を使用することができる。
【００４３】
また、バリヤーカフス５４は、各バリヤーカフス５４の幅方向両側部分が、吸収体５３の幅方向両側部を越えて延在する透液性トップシート５１または不透液性バックシート５２の長手方向に沿って固着され、各バリヤーカフス５４の幅方向中央部分が、透液性トップシート５１の長手方向両端部分に固着され、透液性トップシート５１の長手方向両端部分を除く中間部分においては固着されていない、前後方向の両端部の間では物品内面（図示形態ではトップシート２２表面）に固定されていない。
従って、着用者が吸収パッド２を着用した場合にあっては、バリヤーカフス５４の起立部の遠位縁部には固着される弾性部材５５の収縮力により、透液性トップシート５１に固着されていないバリヤーカフス５４が起立し、排尿が吸収パッド２の外方に漏れ出すことを防止できる。
【００４４】
不透液性バックシート５２に設けられる面ファスナー７０，７１としては、突起形状がフック状、レ字状、Ｊ字状、Ｔ字状、ダブルＪ字状（Ｊ字状のものを背合わせに結合した形状のもの）等のいずれの形状であっても使用することができる。
突起の数密度、すなわち単位面積当りに配置される突起の数は、２０〜６００個／ｃｍ2、特に１５０〜３５０個／ｃｍ2とするのが好ましい。突起の数密度は適宜定めることができるが、あまり疎らであったり、密であったりすると、止着力が弱くなる。
なお、面ファスナー７０，７１は不透液性バックシート５２にホットメルト接着剤等により不透液性バックシート５２に固着されている。
【００４５】
不透液性バックシート５２の股間部５８の面ファスナー７１は、面ファスナー７１の長辺が、不透液性バックシート５２の長手方向に沿って設けてもよく、さらに、図１３に示すように不透液性バックシート５２の幅方向に対し間隔をあけて複数の面ファスナー７１を設けてもよい。
面ファスナー７１の長辺を不透液性バックシート５２の長手方向に沿って設けた場合にあっては、股間部５８において着用者の大腿部の肌と面ファスナー７１とを遠ざけることができ、着用者の大腿部の肌と面ファスナー７１との接触を低減することができる。
さらに、不透液性バックシート５２の幅方向に対し間隔をあけて複数の面ファスナー７１を設けた場合にあっては、着用者の激しい動きによっても股間部５８の吸収体５３のよれを抑制し、排尿を確実に吸収パッド２で吸収できる。
【００４６】
吸収体５３の裏面側には、不透液性バックシート５２が吸収体５３の周縁より所定長さはみ出すように設けられ、吸収体５３の表面側には、透液性トップシート５１が吸収体５３の周縁より所定長さはみ出すように設けられいる。
【００４７】
吸収パッド２の長手方向両端部では、透液性トップシート５１及び不透液性バックシート５２が吸収体５３の長手方向両端部を越えてそれぞれ延在し、貼り合わされ、吸収体５３が介在しないエンドフラップ部６１が形成されている。
また、  吸収パッド２の幅方向両側部では、透液性トップシート５１及び不透液性バックシート５２が吸収体５３の幅方向両側部を越えてそれぞれ延在し、貼り合わされ、吸収体５３が介在しないサイドフラップ部６２が形成されている。
なお、透液性トップシート５１と不透液性バックシート５２との貼り合わせには、ホットメルト接着剤、ヒートシール、超音波シール等に行うことができる。
【００４８】
本発明の吸収パッド２は、大人用のパンツ型使い捨て紙おむつ１等の外装物品の内側に止着して使用されるものであり吸収パッド２の寸法は適宜定めることができる。例えば、吸収パッド２の長手方向長さを２００〜７００ｍｍ程度、幅方向の幅を８０〜４００ｍｍ程度に形成することができ、この場合には、腹側部分５６の長手方向長さを５０〜３５０ｍｍ程度、背側部分５７の長手方向長さを５０〜３５０ｍｍ程度、股間部５８の長手方向長さを１０〜１５０ｍｍ程度にすることができる。
【００４９】
（他の実施形態）
次ぎに、本発明の第２実施形態の吸収パッド２について説明する。
図１４は、第２実施形態の吸収パッド２の正面一部断面展開図であり、図１５は、第２実施形態の吸収パッド２の裏面展開図であり、図１６は、図１５のＡ−Ａ断面図であり、図１７は、要部拡大図であり、図１８は、図１５のＢ−Ｂ断面図である。
第２実施形態の吸収パッド２は、前述した第１実施形態の吸収パッド２と同様に展開状態において略矩形形状に形成され、吸収パッド２は、透液性トップシート５１と、不透液性バックシート５２と、両シートの間に挟持された吸収体５３を有し、吸収パッド２の幅方向両側部分には、必要に応じ着用者側に起立するバリヤーカフス５４が形成され、バリヤーカフス５４の起立部の遠位縁部には弾性部材５５が固着されている。
【００５０】
不透液性バックシート５２のパンツ式使い捨ておむつ１との対向面には、不透液性バックシート５２の腹側部分５６、背側部分５７には面ファスナー７０が設けられ、不透液性バックシート５２の股間部５８には面ファスナー７１が設けられている。
【００５１】
透液性トップシート５１の着用者面には、透液性バックシート５２の股間部５８に設けられた面ファスナー７１の対向する位置に、面ファスナー７１の周辺部を取り囲むフィットエンボス５９が形成されている。
また、フィットエンボス５９により透液性バックシート５２及び吸収体５３を介し不透液性バックシート５２のパンツ式使い捨ておむつ１との対向面が隆起し、透液性バックシート５２の股間部５８に設けられた面ファスナー７１の周辺部を取り囲む隆起部６０が形成されている。
【００５２】
隆起部６０を形成する位置は、面ファスナー７１の周辺部から、１〜１０ｍｍに離間した位置に形成するのが着用者の大腿部と面ファスナー７１との接触を抑制できる観点から好適である。
すなわち、長手方向に形成される隆起部６０Ａは、面ファスナー７１の幅方向両側部から、１〜３ｍｍに離間した位置に形成するのが着用者の大腿部と面ファスナー７１との接触を抑制できる観点から好適であり、幅方向に形成される隆起部６０Ｂは、面ファスナー７１の長手方向両側部から、２〜５ｍｍに離間した位置に形成するのが着用者の大腿部と面ファスナー７１との接触を抑制できる観点から好適である。
なお、中高部を有する吸収体５３にあっては、中高部の周辺部を取り囲む隆起部６０を形成してもよい。
【００５３】
隆起部６０の高さは、フィットエンボス５９の加工圧力等によって調整可能であるが、隆起部６０の高さ（ＲＨ）が、股間部５８に設けられた面ファスナー７１の高さ（ＦＨ）対し１００％〜５００％であることが好適であることから、約１８０％に形成している。
隆起部６０の高さ（ＲＨ）が、面ファスナー７１の高さ（ＦＨ）に対し１００％より小さい場合には、着用者の大腿部の肌が面ファスナー７１に接触するおそれがあり、隆起部６０の高さ（ＲＨ）が、面ファスナー７１の高さに対し５００％より大きい場合には、隆起部６０が着用者に違和感を感じさせるおそれがある。
【００５４】
なお、第２実施形態の透液性トップシート５１に形成されたフィットエンボス５９は、透液性トップシート５１の法線方向に対し平行、すなわち、透液性トップシート５１に対し垂直に設けられているが、第１実施形態の透液性トップシート５１に形成されたフィットエンボス５９と同様に、透液性トップシート５１の法線方向に対し、中心方向に向かい法線方向（垂直方向）に対し０度〜８０度傾斜したフィットエンボス５９を設けてもよい。
【産業上の利用可能性】
【００５５】
本発明は、パンツ式使い捨ておむつ、テープ式使い捨ておむつ、生理用ナプキン等の外装物品に止着されて使用される吸収パッドに関するもので、特に着用者の動きによってズレ、よれを生じることがなく、着用者の肌に外傷をあたえることのない吸収パッドの構造に関するものである。
【図面の簡単な説明】
【００５６】
【図１】吸収パッドが止着された使い捨ておむつの斜視図である。
【図２】吸収パッドが止着された使い捨ておむつの正面展開図である。
【図３】第１実施形態の吸収パッドの正面展開図である。
【図４】同吸収パッドの裏面展開図である。
【図５】図４のＡ−Ａ断面図である。
【図６】要部拡大平面図である。
【図７】吸収パッドの正面展開図である。
【図８】吸収パッドの正面展開図である。
【図９】吸収パッドの正面展開図である。
【図１０】吸収パッドの正面展開図である。
【図１１】吸収体の正面展開図である。
【図１２】吸収体の正面展開図である。
【図１３】吸収パッドの裏面展開図である。
【図１４】第２実施形態の吸収パッド２の正面展開図である。
【図１５】同吸収パッドの裏面展開図である。
【図１６】図１５のＡ−Ａ断面図である。
【図１７】要部拡大平面図である。
【図１８】図１５のＢ−Ｂ断面図である。
【符号の説明】
【００５７】
１…パンツ式使い捨ておむつ、２…吸収パッド、１０…吸収性本体、１１…透液性トップシート、１２…不透液性バックシート、１３…吸収体、１４…バリヤーカフス、２０…外装シート、２１…前身頃、２２…後見頃、２３…股間部、２４…両側部、２５…脚部開口部、２６…ウエスト開口部、２７…ウエスト弾性部材、２８…腰回り弾性部材、２９…湾曲弾性部材群、５１…透液性トップシート、５２…不透液性バックシート、５３…吸収体、５４…バリヤーカフス、５５…弾性部材、５６…腹側部分、５７…背側部分、５８…股間部、５９…フィットエンボス、６０…隆起部、６１…エンドフラップ部、６２…サイドフラップ部、６３…フィットカット、６４…背側吸収部、６５…腹側吸収部、７０，７１…面ファスナー
【図１】
0005230269.tif 000002
【図２】
0005230269.tif 000003
【図３】
0005230269.tif 000004
【図４】
0005230269.tif 000005
【図５】
0005230269.tif 000006
【図６】
0005230269.tif 000007
【図７】
0005230269.tif 000008
【図８】
0005230269.tif 000009
【図９】
0005230269.tif 000010
【図１０】
0005230269.tif 000011
【図１１】
0005230269.tif 000012
【図１２】
0005230269.tif 000013
【図１３】
0005230269.tif 000014
【図１４】
0005230269.tif 000015
【図１５】
0005230269.tif 000016
【図１６】
0005230269.tif 000017
【図１７】
0005230269.tif 000018
【図１８】
0005230269.tif 000019